【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  画像のシーケンスを表しているビデオ信号を符号化するための方法であって、前記方法が、
局所デフォルト基準画像から前記シーケンスの現在の画像または前記現在の画像の一部分に対する予測を入手するステップと、
前記現在の画像または前記現在の画像の一部分に対する指示子を生成するステップであって、前記指示子が、前記局所デフォルト基準画像に対応する遠隔デフォルト基準画像を以降の遠隔復号化処理中に再構成することができない場合に、前記現在の画像または前記現在の画像の前記一部分を予測するために、局所デフォルト基準画像に十分類似している代替可能な基準画像を識別するステップと、
前記現在の画像または前記現在の画像の前記一部分を復号化する際に、前記以降の遠隔復号化処理中に使用する前記指示子を送信するステップとを含むことを特徴とする方法。
【請求項２】  請求項１に記載の方法において、
前記局所デフォルト基準画像を別の基準画像と比較して前記２つの画像の間の類似性の測度を計算することにより、前記現在の画像または前記現在の画像の前記一部分に対する前記代替可能な基準画像を識別するステップと、
類似性の測度を所定の基準と比較するステップと、
前記比較に基づいて前記指示子を生成するステップとを含むことを特徴とする方法。
【請求項３】  請求項１に記載の方法において、
第１の局所デフォルト基準画像および第２の局所デフォルト基準画像から前記現在の画像の少なくとも一部分の予測を形成するステップであって、前記第１の局所デフォルト基準画像が、時間的に前記現在の画像の前に発生する前記シーケンスの画像に対応し、前記第２のデフォルト基準画像が、時間的に前記現在の画像の後に発生する前記シーケンスの画像に対応するステップと、
前記第１の局所デフォルト基準画像を時間的に前記現在の画像の前に発生する前記シーケンスの画像に対応する別の基準画像と比較して前記２つの画像の間の類似性の測度を計算するステップと、
前記類似性の測度を所定の基準と比較するステップと、
前記比較に基づいて前記指示子を生成するステップとを含むことを特徴とする方法。
【請求項４】  請求項１に記載の方法において、
前記局所デフォルト基準画像を複数の別の基準画像と比較して類似性の各測度を計算することにより、前記現在の画像または前記現在の画像の前記一部分に対する２つ以上の代替可能な基準画像を識別するステップと、
前記現在の画像または前記現在の画像の一部分に対して２つ以上の指示子を提供するために、所定の類似性の基準を満たす各別の基準画像に対する指示子を出力するステップとを含むことを特徴とする方法。
【請求項５】  請求項４に記載の方法において、前記比較に基づいて前記別の画像をランク付けするステップと、ランク順に前記現在の画像に対して前記２つ以上の指示子を提供するステップとを含み、前記別の基準画像に関連する前記指示子が、前記ランク順で最初に置かれる前記局所デフォルト基準画像に最もよく似ていることを特徴とする方法。
【請求項６】  請求項１に記載の方法において、前記指示子を符号化されたビデオ信号の画像ヘッダ内に含めるステップを含むことを特徴とする方法。
【請求項７】  請求項１に記載の方法において、前記指示子が前記現在の画像の一部分に関連付けられている場合に、前記指示子を符号化されたビデオ信号の画像セグメントのヘッダまたはマクロブロック・ヘッダ内に含めるステップを含むことを特徴とする方法。
【請求項８】  請求項１に記載の方法において、画像の前記シーケンスをＨ．２６３ビデオ圧縮規格に従って符号化するステップと、前記指示子を前記Ｈ．２６３ビデオ圧縮規格に従って「補助的エンハンスメント情報」の中に含めるステップとを含むことを特徴とする方法。
【請求項９】  請求項１に記載の方法において、前記代替可能な基準画像の時間的基準を示すために、前記指示子を生成するステップを含むことを特徴とする方法。
【請求項１０】  請求項１に記載の方法において、Ｂ画像およびＰ画像に対して代替可能な基準画像を示すステップを含むことを特徴とする方法。
【請求項１１】  請求項１に記載の方法において、Ｐ画像のみに対して代替可能な基準画像を示すステップを含むことを特徴とする方法。
【請求項１２】  請求項１に記載の方法において、前記類似性を、前記局所デフォルト基準画像と別の基準画像との間のピクセル値の違いを利用して絶対差の合計として判定するステップを含むことを特徴とする方法。
【請求項１３】  請求項１に記載の方法において、画像ヒストグラムを利用して、前記局所デフォルト基準画像と別の基準画像との間の前記類似性を判定するステップを含むことを特徴とする方法。
【請求項１４】  請求項１に記載の方法において、前記ビデオ信号をスケーラブルに符号化するステップと、前記スケーラブルに符号化されたビデオ信号の予測的に符号化されたエンハンスメント層の画像に対して代替可能な基準画像を示すステップとを含むことを特徴とする方法。
【請求項１５】  請求項１に記載の方法において、前記現在の画像または前記現在の画像の前記一部分とともに前記指示子を提供するステップを含むことを特徴とする方法。
【請求項１６】  画像のシーケンスを表している符号化されたビデオ信号を復号化するための方法であって、前記方法が、
前記シーケンスの現在の画像または前記現在の画像の一部分を表している符号化されたビデオ信号を受信するステップと、
前記現在の画像または前記画像の前記一部分に対する予測を入手する際に使用するデフォルト基準画像を再構成することができないと判断するステップと、
前記現在の画像または前記現在の画像の一部分に提供される指示子を調べるステップであって、前記指示子が、前記現在の画像または前記現在の画像の前記一部分を予測するために代替可能な基準画像を使用すべきであることを識別するステップと、
前記デフォルト基準画像を再構成することができないと判断した場合に、前記現在の画像または前記現在の画像の前記一部分のための予測を提供するために、前記代替可能な基準画像を使用するステップとを含むことを特徴とする方法。
【請求項１７】  請求項１６に記載の方法において、
前記現在の画像または前記現在の画像の前記一部分に提供される２つ以上の指示子のランク順を調べるステップと、
前記ランク順に基づいて前記指示子を選択するステップとを含むことを特徴とする方法。
【請求項１８】  請求項１６に記載の方法において、前記符号化されたビデオ信号の画像ヘッダから前記指示子を取得するステップを含むことを特徴とする方法。
【請求項１９】  請求項１６に記載の方法において、前記符号化されたビデオ信号の画像セグメントのヘッダまたはマクロブロック・ヘッダから前記指示子を取得するステップを含むことを特徴とする方法。
【請求項２０】  請求項１６に記載の方法において、前記Ｈ．２６３ビデオ圧縮規格に従って符号化されたビデオ信号の「補助的エンハンスメント情報」から前記指示子を取得するステップを含むことを特徴とする方法。
【請求項２１】  請求項１６に記載の方法において、前記代替可能な基準画像の前記時間的基準を識別するために前記指示子を使用するステップを含むことを特徴とする方法。
【請求項２２】  請求項１６に記載の方法において、Ｂ画像およびＰ画像に対する代替可能な基準画像を識別するために前記指示子を使用するステップを含むことを特徴とする方法。
【請求項２３】  請求項１６に記載の方法において、スケーラブルに符号化されたビデオ信号の予測的に符号化されたエンハンスメント層の画像に対する代替可能な基準画像を識別するために前記指示子を使用するステップを含むことを特徴とする方法。
【請求項２４】  ビデオ信号を符号化するためのビデオ・エンコーダであって、前記ビデオ信号が画像のシーケンスを表し、前記ビデオ・エンコーダが、
局所デフォルト基準画像から前記シーケンスの現在の画像または前記現在の画像の一部分に対する予測を入手するように構成され、
前記現在の画像または前記現在の画像の一部分に対する指示子を生成するように構成され、前記指示子が、前記局所デフォルト基準画像に対応する遠隔デフォルト基準画像を以降の遠隔復号化処理中に再構成することができない場合に、前記現在の画像または前記現在の画像の前記一部分を予測するために、前記局所デフォルト基準画像に十分類似している代替可能な基準画像を識別し、また、
前記現在の画像または前記現在の画像の前記一部分を復号化する際に、前記以降の遠隔復号化処理中に使用する前記指示子を送信するように構成されたことを特徴とするビデオ・エンコーダ。
【請求項２５】  請求項２４に記載のビデオ・エンコーダであって、前記ビデオ・エンコーダが、
前記局所デフォルト基準画像を別の基準画像と比較して前記２つの画像の間の類似性の測度を計算することにより、前記現在の画像または前記現在の画像の前記一部分に対する前記代替可能な基準画像を識別するように構成され、
前記類似性の測度を所定の基準と比較するように構成され、
前記比較に基づいて前記指示子を生成するように構成されたことを特徴とするビデオ・エンコーダ。
【請求項２６】  請求項２４に記載のビデオ・エンコーダであって、前記ビデオ・エンコーダが、
第１の局所デフォルト基準画像および第２の局所デフォルト基準画像から前記現在の画像の少なくとも一部分の予測を形成するように構成され、前記第１の局所デフォルト基準画像が時間的に前記現在の画像の前に発生する前記シーケンスの画像に対応し、前記第２の局所デフォルト基準画像が時間的に前記現在の画像の後に発生する前記シーケンスの画像に対応し、
前記第１の局所デフォルト基準画像を時間的に前記現在の画像の前に発生する前記シーケンスの画像に対応する別の基準画像と比較して前記２つの画像の間の類似性の測度を計算するように構成され、
前記類似性の測度を所定の基準と比較するように構成され、
前記比較に基づいて前記指示子を生成するように構成されたことを特徴とするビデオ・エンコーダ。
【請求項２７】  請求項２４に記載のビデオ・エンコーダであって、前記ビデオ・エンコーダが、
前記局所デフォルト基準画像を複数の別の基準画像と比較することによって、前記現在の画像または前記現在の画像の前記一部分に対する２つ以上の代替可能な基準画像を識別するように構成され、
前記現在の画像または前記現在の画像の一部分に対して２つ以上の指示子を提供するために、前記所定の基準を満たす各別の基準画像に対する指示子を出力するように構成されたことを特徴とするビデオ・エンコーダ。
【請求項２８】  請求項２７に記載のビデオ・エンコーダであって、前記ビデオ・エンコーダが、前記所定の基準を満たす前記別の基準画像をランク付けし、前記現在の画像または前記現在の画像の前記一部分に関連付けられた指示子をランク順に提供するように構成され、前記別の基準画像が、前記ランク順で最初に置かれる前記局所デフォルト基準画像に最もよく似ていることを特徴とするビデオ・エンコーダ。
【請求項２９】  請求項２４に記載のビデオ・エンコーダであって、前記ビデオ・エンコーダが、前記符号化されたビデオ信号の画像ヘッダ内に前記指示子を含めるように構成されたことを特徴とするビデオ・エンコーダ。
【請求項３０】  請求項２４に記載のビデオ・エンコーダであって、前記ビデオ・エンコーダが、前記指示子が前記現在の画像の一部に関連づけられた場合に、前記指示子を前記符号化されたビデオ信号の画像セグメントのヘッダまたはマクロブロック・ヘッダ内に含めるように構成されたことを特徴とするビデオ・エンコーダ。
【請求項３１】  請求項２４に記載のビデオ・エンコーダであって、前記ビデオ・エンコーダが、前記Ｈ．２６３ビデオ圧縮規格に従って前記ビデオ信号を符号化し、また、前記指示子を前記Ｈ．２６３ビデオ圧縮規格に従って「補助的エンハンスメント情報」の中に含めるように構成されたことを特徴とするビデオ・エンコーダ。
【請求項３２】  請求項２４に記載のビデオ・エンコーダであって、前記ビデオ・エンコーダが、前記代替可能な基準画像の前記時間的基準を使用して前記指示子を生成するように構成されたことを特徴とするビデオ・エンコーダ。
【請求項３３】  請求項２４に記載のビデオ・エンコーダであって、前記ビデオ・エンコーダが、Ｂ画像およびＰ画像に対して代替可能な基準画像を示すように構成されたことを特徴とするビデオ・エンコーダ。
【請求項３４】  請求項２４に記載のビデオ・エンコーダであって、前記ビデオ・エンコーダが、Ｐ画像のみに対して代替可能な基準画像を示すように構成されたことを特徴とするビデオ・エンコーダ。
【請求項３５】  請求項２５に記載のビデオ・エンコーダであって、前記ビデオ・エンコーダが、前記類似性の測度を、前記局所デフォルト基準画像と別の基準画像との間のピクセル値の違いを利用して絶対差の合計として計算するように構成されたことを特徴とするビデオ・エンコーダ。
【請求項３６】  請求項２５に記載のビデオ・エンコーダであって、前記ビデオ・エンコーダが、画像ヒストグラムを利用して前記局所デフォルト基準画像と別の基準画像との間の前記類似性を判定するように構成されたことを特徴とするビデオ・エンコーダ。
【請求項３７】  請求項２４に記載のビデオ・エンコーダであって、前記ビデオ・エンコーダが、前記ビデオ信号をスケーラブル・ビデオ・シーケンスとして符号化し、前記スケーラブル・ビデオ・シーケンスの予測的に符号化されたエンハンスメント層の画像に対して代替可能な基準画像を示すように構成されたことを特徴とするビデオ・エンコーダ。
【請求項３８】  請求項２４に記載のビデオ・エンコーダであって、前記エンコーダが、前記現在の画像または前記現在の画像の前記一部分とともに前記指示子を提供するように構成されたことを特徴とするビデオ・エンコーダ。
【請求項３９】  画像のシーケンスを表している符号化されたビデオ信号を復号化するためのビデオ・デコーダであって、前記デコーダが、
前記シーケンスの現在の画像または前記現在の画像の一部分を表している符号化されたビデオ信号を受信するように構成され、
前記現在の画像または前記現在の画像の前記一部分に対する予測を入手する際に使用するデフォルト基準画像を再構成することができないと判断するように構成され、
前記現在の画像または前記現在の画像の前記一部分に提供される前記指示子を調べるように構成され、前記指示子が、前記現在の画像または前記現在の画像の前記一部分を予測するために代替可能な基準画像を使用すべきであることを識別し、また、
前記デフォルト基準画像を再構成することができないと判断した場合に、前記現在の画像または前記現在の画像の前記一部分のための予測を提供するために、前記代替可能な基準画像を使用するように構成されたことを特徴とするビデオ・デコーダ。
【請求項４０】  請求項３９に記載のビデオ・デコーダであって、前記ビデオ・デコーダが、前記現在の画像または前記現在の画像の前記一部分に提供される２つ以上の指示子のランク順を調べるように構成され、
前記ランク順に基づいて指示子を選択するように構成されたことを特徴とするビデオ・デコーダ。
【請求項４１】  請求項４０に記載のビデオ・デコーダであって、２つ以上の指示子が前記現在の画像または前記現在の画像の一部分に提供された場合、前記指示子がランクに従って前記符号化されたビデオ信号内に整理され、前記指示子が、前記ランクの順序で最初に置かれる、前記デフォルト基準画像または現在の画像に最もよく似ている前記画像を識別し、前記ビデオ・デコーダがさらに、前記指示子によってランクの順序で前記現在の画像または前記現在の画像の前記一部分に対する代替可能な基準画像として識別される前記別の画像を使用するように構成されたことを特徴とするビデオ・デコーダ。
【請求項４２】  請求項３９に記載のビデオ・デコーダであって、前記ビデオ・デコーダが、前記符号化されたビデオ信号の画像ヘッダから前記指示子を取得するように構成されたことを特徴とするビデオ・デコーダ。
【請求項４３】  請求項３９に記載のビデオ・デコーダであって、前記ビデオ・デコーダが、前記符号化されたビデオ信号の画像セグメントのヘッダまたはマクロブロック・ヘッダから前記指示子を取得するように構成されたことを特徴とするビデオ・デコーダ。
【請求項４４】  請求項３９に記載のビデオ・デコーダであって、前記ビデオ・デコーダが、前記Ｈ．２６３ビデオ圧縮規格に従って符号化されたビデオ信号の「補助的エンハンスメント情報」から前記指示子を取得するように構成されたことを特徴とするビデオ・デコーダ。
【請求項４５】  請求項３９に記載のビデオ・デコーダであって、前記ビデオ・デコーダが、前記代替可能な基準画像の前記時間的基準を識別するために、前記指示子を使用するように構成されたことを特徴とするビデオ・デコーダ。
【請求項４６】  請求項３９に記載のビデオ・デコーダであって、前記ビデオ・デコーダが、スケーラブルに符号化されたビデオ信号の予測的に符号化されたエンハンスメント層の画像に対する代替可能な基準画像を識別するために前記指示子を使用するように構成されたことを特徴とするビデオ・デコーダ。
【請求項４７】  請求項２４乃至３８のいずれかに記載のエンコーダを含むことを特徴とする無線通信装置。
【請求項４８】  請求項３９乃至４７のいずれかに記載のデコーダを含むことを特徴とする無線通信装置。
【請求項４９】  請求項２４乃至３８のいずれかに記載のエンコーダを含むことを特徴とするマルチメディア端末装置。
【請求項５０】  請求項３９乃至４７のいずれかに記載のデコーダを含むことを特徴とするマルチメディア端末装置。
【請求項５１】  画像のシーケンスを表しているビデオ信号を符号化するための方法であって、前記方法が、
局所デフォルト基準画像から前記シーケンスの現在の画像または前記現在の画像の一部分に対する予測を入手するステップと、
前記現在の画像と別の基準画像との間の類似性の測度を計算するステップと、
前記類似性の測度を所定の基準と比較するステップと、
前記比較に基づいて、前記現在の画像または前記現在の画像の一部分に対する指示子を生成するステップであって、前記指示子が、前記局所デフォルト基準画像に対応する遠隔デフォルト基準画像を以降の遠隔復号化処理中に再構成することができない場合に、前記現在の画像または前記現在の画像の前記一部分を予測するために代替可能な基準画像を識別するステップと、
前記現在の画像または前記現在の画像の前記一部分を復号化する際に、前記以降の遠隔復号化処理中に使用する前記指示子を送信するステップとを含むことを特徴とする方法。
【請求項５２】  請求項５１に記載の方法において、
第１の局所デフォルト基準画像および第２の局所デフォルト基準画像から前記現在の画像の少なくとも一部分の予測を形成するステップであって、前記第１の局所デフォルト基準画像が、時間的に前記現在の画像の前に発生する前記シーケンスの画像に対応し、前記第２の局所デフォルト基準画像が、時間的に前記現在の画像の後に発生する前記シーケンスの画像に対応するステップと、
前記現在の画像を時間的に前記現在の画像の前に発生する前記シーケンスの画像に対応する別の基準画像と比較して前記２つの画像の間の類似性の測度を計算するステップと、
前記類似性の測度を所定の基準と比較するステップと、
前記比較に基づいて前記指示子を生成するステップとを含むことを特徴とする方法。
【請求項５３】  請求項５１に記載の方法において、
前記現在の画像を複数の別の基準画像と比較することにより、前記現在の画像または前記現在の画像の前記一部分に対する２つ以上の代替可能な基準画像を識別するステップと、
前記現在の画像または前記現在の画像の前記一部分に対して２つ以上の指示子を提供するために、前記所定の基準を満たす各別の基準画像に対する指示子を出力するステップとを含むことを特徴とする方法。
【請求項５４】  請求項５３に記載の方法において、前記比較に基づいて前記別の基準画像をランク付けするステップと、ランク順に前記現在の画像または前記現在の画像の前記一部分に対して前記２つ以上の指示子を提供するステップとを含み、前記別の基準画像に関連する前記指示子が、前記ランク順で最初に置かれる前記現在の画像に最もよく似ていることを特徴とする方法。
【請求項５５】  請求項５１に記載の方法において、前記指示子を符号化されたビデオ信号の画像ヘッダ内に含めるステップを含むことを特徴とする方法。
【請求項５６】  請求項５１に記載の方法において、前記指示子が前記現在の画像の一部分に関連付けられている場合に、前記指示子を符号化されたビデオ信号の画像セグメントのヘッダまたはマクロブロック・ヘッダ内に含めるステップを含むことを特徴とする方法。
【請求項５７】  請求項５１に記載の方法において、画像の前記シーケンスをＨ．２６３ビデオ圧縮規格に従って符号化するステップと、前記指示子を前記Ｈ．２６３ビデオ圧縮規格に従って「補助的エンハンスメント情報」の中に含めるステップとを含むことを特徴とする方法。
【請求項５８】  請求項５１に記載の方法において、前記代替可能な基準画像の時間的基準を示すために前記指示子を生成するステップを含むことを特徴とする方法。
【請求項５９】  請求項５１に記載の方法において、前記代替可能な基準画像の画像番号を示すために前記指示子を生成するステップを含むことを特徴とする方法。
【請求項６０】  請求項５１に記載の方法において、前記代替可能な基準画像の階層番号またはサブシーケンス識別子を示すために前記指示子を生成するステップを含むことを特徴とする方法。
【請求項６１】  請求項５１に記載の方法において、Ｂ画像およびＰ画像に対して代替可能な基準画像を示すステップを含むことを特徴とする方法。
【請求項６２】  請求項５１に記載の方法において、Ｐ画像のみに対して代替可能な基準画像を示すステップを含むことを特徴とする方法。
【請求項６３】  請求項５２に記載の方法において、前記類似性の測度を、前記現在の画像と別の基準画像との間のピクセル値の違いを利用して絶対差の合計として計算するステップを含むことを特徴とする方法。
【請求項６４】  請求項５２に記載の方法において、画像ヒストグラムを利用して前記現在の画像と別の基準画像との間の前記類似性を判定するステップを含むことを特徴とする方法。
【請求項６５】  請求項５１に記載の方法において、前記ビデオ信号をスケーラブルに符号化するステップと、前記スケーラブルに符号化されたビデオ信号の予測的に符号化されたエンハンスメント層の画像に対して代替可能な基準画像を示すステップとを含むことを特徴とする方法。
【請求項６６】  請求項５１に記載の方法において、前記現在の画像または前記現在の画像の前記一部分とともに前記指示子を提供するステップを含むことを特徴とする方法。
【請求項６７】  ビデオ信号を符号化するためのビデオ・エンコーダであって、前記ビデオ信号が画像のシーケンスを表し、前記ビデオ・エンコーダが、
局所デフォルト基準画像から前記シーケンスの現在の画像または前記現在の画像の一部分に対する予測を入手するように構成され、
前記現在の画像と別の基準画像との間の類似性の測度を計算するように構成され、
前記類似性の測度を所定の基準と比較するように構成され、
前記比較に基づいて、前記現在の画像または前記現在の画像の一部分に対する指示子を生成するように構成され、前記指示子が、前記局所デフォルト基準画像に対応する遠隔デフォルト基準画像を以降の遠隔復号化処理中に再構成することができない場合に、前記現在の画像または前記現在の画像の前記一部分を予測するために代替可能な基準画像を識別し、また、
前記現在の画像または前記現在の画像の前記一部分を復号化する場合に、前記以降の遠隔復号化処理中に使用する前記指示子を送信するように構成されたことを特徴とするビデオ・エンコーダ。
【請求項６８】  請求項６７に記載のビデオ・エンコーダであって、前記ビデオ・エンコーダが、
第１の局所デフォルト基準画像および第２の局所デフォルト基準画像から前記現在の画像の少なくとも一部分の予測を形成するように構成され、前記第１の局所デフォルト基準画像が、時間的に前記現在の画像の前に発生する前記シーケンスの画像に対応し、前記第２の局所デフォルト基準画像が、時間的に前記現在の画像の後に発生する前記シーケンスの画像に対応し、
前記現在の画像を時間的に前記現在の画像の前に発生する前記シーケンスの画像に対応する別の基準画像と比較して前記２つの画像の間の類似性の測度を計算するように構成され、
前記類似性の測度を所定の基準と比較するように構成され、
前記比較に基づいて前記指示子を生成するように構成されたことを特徴とするビデオ・エンコーダ。
【請求項６９】  請求項６７に記載のビデオ・エンコーダであって、前記ビデオ・エンコーダが、
前記現在の画像を複数の別の基準画像と比較することによって前記現在の画像または前記現在の画像の前記一部分に対する２つ以上の代替可能な基準画像を識別するように構成され、
前記現在の画像または前記現在の画像の前記一部分に対して２つ以上の指示子を提供するために、前記所定の基準を満たす各別の基準画像に対する指示子を出力するように構成されたことを特徴とするビデオ・エンコーダ。
【請求項７０】  請求項６９に記載のビデオ・エンコーダであって、前記所定の基準を満たす前記別の基準画像をランク付けし、前記現在の画像または前記現在の画像の前記一部分に関連付けられた指示子をランク順に提供するように構成され、前記別の基準画像が、前記ランク順で最初に置かれる前記現在の画像に最もよく似ていることを特徴とするビデオ・エンコーダ。
【請求項７１】  請求項６７に記載のビデオ・エンコーダであって、前記ビデオ・エンコーダが、前記符号化されたビデオ信号の画像ヘッダ内に前記指示子を含めるように構成されたことを特徴とするビデオ・エンコーダ。
【請求項７２】  請求項６７に記載のビデオ・エンコーダであって、前記ビデオ・エンコーダが、前記指示子が前記現在の画像の一部に関連づけられた場合に、前記指示子を前記符号化されたビデオ信号の画像セグメントのヘッダまたはマクロブロック・ヘッダ内に含めるように構成されたことを特徴とするビデオ・エンコーダ。
【請求項７３】  請求項６７に記載のビデオ・エンコーダであって、前記ビデオ・エンコーダが、前記Ｈ．２６３ビデオ圧縮規格に従って前記ビデオ信号を符号化し、また、前記指示子を前記Ｈ．２６３ビデオ圧縮規格に従って「補助的エンハンスメント情報」の中に含めるように構成されたことを特徴とするビデオ・エンコーダ。
【請求項７４】  請求項６７に記載のビデオ・エンコーダであって、前記ビデオ・エンコーダが、前記代替可能な基準画像の前記時間的基準を示すために前記指示子を生成するように構成されたことを特徴とするビデオ・エンコーダ。
【請求項７５】  請求項６７に記載のビデオ・エンコーダであって、前記ビデオ・エンコーダが、前記代替可能な基準画像の前記画像番号を示すために前記指示子を生成するように構成されたことを特徴とするビデオ・エンコーダ。
【請求項７６】  請求項６７に記載のビデオ・エンコーダであって、前記ビデオ・エンコーダが、前記代替可能な基準画像の階層番号またはサブシーケンス識別子を示すために前記指示子を生成するように構成されたことを特徴とするビデオ・エンコーダ。
【請求項７７】  請求項６７に記載のビデオ・エンコーダであって、前記ビデオ・エンコーダが、Ｂ画像およびＰ画像に対して代替可能な基準画像を示すように構成されたことを特徴とするビデオ・エンコーダ。
【請求項７８】  請求項６７に記載のビデオ・エンコーダであって、前記ビデオ・エンコーダが、Ｐ画像のみに対して代替可能な基準画像を示すように構成されたことを特徴とするビデオ・エンコーダ。
【請求項７９】  請求項６７に記載のビデオ・エンコーダであって、前記ビデオ・エンコーダが、前記類似性の測度を、前記現在の画像と別の基準画像との間のピクセル値の違いを利用して絶対差の合計として計算するように構成されたことを特徴とするビデオ・エンコーダ。
【請求項８０】  請求項６７に記載のビデオ・エンコーダであって、前記ビデオ・エンコーダが、画像ヒストグラムを利用して前記現在の画像と別の基準画像との間の前記類似性を判定するように構成されたことを特徴とするビデオ・エンコーダ。
【請求項８１】  請求項６７に記載のビデオ・エンコーダであって、前記ビデオ・エンコーダが、前記ビデオ信号をスケーラブル・ビデオ・シーケンスとして符号化し、前記スケーラブル・ビデオ・シーケンスの予測的に符号化されたエンハンスメント層の画像に対して代替可能な基準画像を示すように構成されたことを特徴とするビデオ・エンコーダ。
【請求項８２】  請求項６７に記載のビデオ・エンコーダであって、前記ビデオ・エンコーダが、前記現在の画像または前記現在の画像の前記一部分とともに前記指示子を提供するように構成されたことを特徴とするビデオ・エンコーダ。
【請求項８３】  ビデオ信号を符号化するためのビデオ・エンコーダを備えた無線通信装置であって、前記ビデオ信号が画像のシーケンスを表し、前記ビデオ・エンコーダが、
局所デフォルト基準画像から前記シーケンスの現在の画像または前記現在の画像の一部分に対する予測を入手するように構成され、
前記現在の画像と別の基準画像との間の類似性の測度を計算するように構成され、
前記類似性の測度を所定の基準と比較するように構成され、
前記比較に基づいて、前記現在の画像または前記現在の画像の一部分に対する指示子を生成するように構成され、前記指示子が、前記局所デフォルト基準画像に対応する遠隔デフォルト基準画像を以降の遠隔復号化処理中に再構成することができない場合に、前記現在の画像または前記現在の画像の前記一部分を予測するために代替可能な基準画像を識別し、また、
前記現在の画像または前記現在の画像の前記一部分を復号化する際に、前記以降の遠隔復号化処理中に使用する前記指示子を送信するように構成されたことを特徴とする無線通信装置。
【請求項８４】  ビデオ信号を符号化するためのビデオ・エンコーダを備えたマルチメディア端末装置であって、前記ビデオ信号が画像のシーケンスを表し、前記ビデオ・エンコーダが、
局所デフォルト基準画像から前記シーケンスの現在の画像または前記現在の画像の一部分に対する予測を入手するように構成され、
前記現在の画像と別の基準画像との間の類似性の測度を計算するように構成され、
前記類似性の測度を所定の基準と比較するように構成され、
前記比較に基づいて、前記現在の画像または前記現在の画像の一部分に対する指示子を生成するように構成され、前記指示子が、前記局所デフォルト基準画像に対応する遠隔デフォルト基準画像を以降の遠隔復号化処理中に再構成することができない場合に、前記現在の画像または前記現在の画像の前記一部分を予測するために代替可能な基準画像を識別し、また、
前記現在の画像または前記現在の画像の前記一部分を復号化する際に、前記以降の遠隔復号化処理中に使用する前記指示子を送信するように構成されたことを特徴とするマルチメディア端末装置。
【請求項８５】  ビデオ信号を符号化するための装置であって、前記ビデオ信号が画像のシーケンスを表し、前記装置が、
局所デフォルト基準画像から前記シーケンスの現在の画像または前記現在の画像の一部分に対する予測を入手するように構成され、
前記現在の画像と別の基準画像との間の類似性の測度を計算するように構成され、
前記類似性の測度を所定の基準と比較するように構成され、
前記比較に基づいて、前記現在の画像または前記現在の画像の一部分に対する指示子を生成するように構成され、前記指示子が、前記局所デフォルト基準画像に対応する遠隔デフォルト基準画像を以降の遠隔復号化処理中に再構成することができない場合に、前記現在の画像または前記現在の画像の前記一部分を予測するために代替可能な基準画像を識別し、また、
前記現在の画像または前記現在の画像の前記一部分を復号化する際に、前記以降の遠隔復号化処理中に使用する前記指示子を送信するように構成されたことを特徴とする装置。